(57)【要約】【課題】  ヒートポンプユニットへの戻り温水の温度を効率的に低下させることによりヒートポンプユニットの効率向上を図る。【解決手段】  ヒートポンプ式電気暖房機は、ヒートポンプユニット１と、このヒートポンプユニットの冷媒と暖房配管４を流れる温水とを熱交換させるための熱交換ユニット２と、前記暖房配管に接続された暖房端末である放熱器３と、積雪した雪などを融解させるためのロードヒーティング５と、暖房配管内の水を循環させるための循環ポンプ９などを備えている。ヒートポンプユニットから供給される温水は、暖房端末である放熱器で暖房を行い、更に放熱器からの温水をロードヒーティングで再利用する構成としている。ロードヒーティングに温水を循環させるか、循環させないかは三方切替弁７により行われる。【選択図】図１
2009257671.tif 000002
【特許請求の範囲】
【請求項１】
ヒートポンプユニットから供給される湯を利用し、暖房端末である放熱器で暖房を行い、更に前記放熱器からの温水をロードヒーティングで再利用する構成としたことを特徴とするヒートポンプ式電気暖房機。
【請求項２】
請求項１において、前記ヒートポンプユニットと前記放熱器間を循環する湯の回路の前記放熱器下流側に三方切替弁を設け、この三方切替弁の入口側を前記放熱器へ、出口側の一つを前記ロードヒーティングへ、出口側の他の一つを前記ヒートポンプユニット側へそれぞれ接続し、更に前記ロードヒーティングからの油の戻りを、前記三方切替弁と前記ヒートポンプユニットとを接続する配管の途中に接続し、前記三方切替弁を用いて前記ロードヒーティングへの温水の供給のＯＮ−ＯＦＦを切り替え、更にロードヒーティングへの湯の供給を決定するための降雪センサを備えることを特徴とするヒートポンプ式電気暖房機。
【請求項３】
請求項１において、前記放熱器での暖房運転を行わない場合、前記放熱器をバイパスして直接前記ロードヒーティングへ湯を供給するためのバイパス回路と、このバイパス回路に設けられたバイパス弁を備えることを特徴とするヒートポンプ式電気暖房機。
【発明の詳細な説明】
【技術分野】
【０００１】
本発明は、ヒートポンプユニットからの温水を放熱器に循環させて暖房するヒートポンプ式電気暖房機に関し、特にヒートポンプユニットからの温水をロードヒーティングに利用するものに関する。
【背景技術】
【０００２】
従来、融雪電力を用いた電気暖房機により暖房するシステムにおいて、放熱器へ供給する温水は所定の温度に設定するように構成されている。また、ロードヒーティングも行うものでは、暖房で使用する温度より低い温度に設定するように構成されている。
【０００３】
【特許文献１】特開２００４−３４０３９９号公報
【発明の開示】
【発明が解決しようとする課題】
【０００４】
上記従来のものでは、ヒートポンプユニットからの温水を、放熱器とロードヒーティングとに同時に使用することは困難であった。また、放熱器からの戻り温水の温度は比較的高温であり、この高温の温水をヒートポンプユニットで加熱するため、ヒートポンプユニットの効率が悪いという欠点があった。
【０００５】
本発明の目的は、ヒートポンプユニットへの戻り温水の温度を効率的に低下させることによりヒートポンプユニットの効率向上を図ることにある。
【課題を解決するための手段】
【０００６】
上記目的を達成するために、本発明のヒートポンプ式電気暖房機は、ヒートポンプユニットから供給される湯を利用し、暖房端末である放熱器で暖房を行い、更に前記放熱器からの温水をロードヒーティングで再利用する構成としたことを特徴とする。
【０００７】
ここで、前記ヒートポンプユニットと前記放熱器間を循環する湯の回路の前記放熱器下流側に三方切替弁を設け、この三方切替弁の入口側を前記放熱器へ、出口側の一つを前記ロードヒーティングへ、出口側の他の一つを前記ヒートポンプユニット側へそれぞれ接続し、更に前記ロードヒーティングからの油の戻りを、前記三方切替弁と前記ヒートポンプユニットとを接続する配管の途中に接続し、前記三方切替弁を用いて前記ロードヒーティングへの温水の供給のＯＮ−ＯＦＦを切り替え、更にロードヒーティングへの湯の供給を決定するための降雪センサを備えるようにすると良い。
【０００８】
また、前記放熱器での暖房運転を行わない場合、前記放熱器をバイパスして直接前記ロードヒーティングへ湯を供給するためのバイパス回路と、このバイパス回路に設けられたバイパス弁を備えるようにすると、暖房運転を行わない時でもロードヒーティングが可能となる。
【発明の効果】
【０００９】
本発明のヒートポンプ式電気暖房機によれば、ヒートポンプユニットから供給する温水（湯）を放熱器で暖房に使用し、更にこの放熱器からの温水（戻り水）をロードヒーティングで使用することができるので、ヒートポンプユニットに戻ってくる温水の温度を効率的に更に低下させることができ、電気暖房機の実働機器効率を上昇させることが可能となる。従って、本発明のヒートポンプ式電気暖房機によれば、ランニングコストを低減することができる。
【発明を実施するための最良の形態】
【００１０】
本発明は、ヒートポンプ式電気暖房機において、暖房端末である放熱器からの戻り水をロードヒーティングで再利用することにより、従来よりも戻り水の温度を下げることが可能となり、ヒートポンプ式電気暖房機の実働機器効率を上昇させるものである。即ち、放熱器からヒートポンプ式電気暖房機へ戻ってくる温水の温度が高いとヒートポンプユニットの効率が低下し、戻り温水の温度が低いほど実働機器効率は高くなるので、放熱器からの戻り水をそのままヒートポンプユニットに戻すのではなく、ロードヒーティングに再利用してから戻すことでヒートポンプユニットの効率向上を図ったものである。
【００１１】
以下、本発明のヒートポンプ式電気暖房機の一実施例を図面に基づいて説明する。
【実施例１】
【００１２】
図１は、本発明のヒートポンプ式電気暖房機の一実施例を示すもので、この実施例のヒートポンプ式電気暖房機は、ヒートポンプユニット１と、このヒートポンプユニット１の冷媒と暖房配管４を流れる水（温水）とを熱交換させるための熱交換ユニット２と、前記暖房配管４に接続された暖房端末である放熱器３と、積雪した雪などを融解させるためのロードヒーティング５と、前記暖房配管４の途中に設けられ膨張水を調整するための膨張タンク６と、暖房配管内の水を循環させるための循環ポンプ９などを備えている。
【００１３】
１０はバイパス弁８を有し、前記放熱器３をバイパスするバイパス回路で、放熱器３を使用しない（暖房しない）場合、バイパス弁８を開いてロードヒーティング５に直接熱交換ユニット２からの温水を循環させることができるようにしている。７は前記熱交換ユニット２と前記放熱器３間を循環する湯（温水）の回路（暖房配管４）の前記放熱器３下流側に設けられた三方切替弁で、この三方切替弁７の入口側は前記放熱器３と、出口側の一つは前記ロードヒーティング５と、出口側の他の一つは前記熱交換ユニット２側へそれぞれ接続している。また、前記ロードヒーティング５からの油の戻りを、前記三方切替弁７と前記熱交換ユニット２とを接続する配管の途中に接続し、前記三方切替弁７を用いて前記ロードヒーティング５への温水の供給をＯＮ−ＯＦＦできるようになっている。ロードヒーティング５への湯の供給を決定するために降雪センサ（図示せず）も備えられ、この降雪センサからの信号を受けて、三方切替弁７によりロードヒーティング５に湯を循環させるか、循環させないかを切り替える。
【００１４】
以上、本発明のヒートポンプ式電気暖房機の一実施例を説明したが、本発明は上記実施例に限定されるものではなく、その趣旨を逸脱しない範囲において適宜その構成を変更することができるものである。
【図面の簡単な説明】
【００１５】
【図１】本発明のヒートポンプ式電気暖房機の一実施例を示す系統図（配管システムの回路図）である。
【符号の説明】
【００１６】
１  ヒートポンプユニット
２  熱交換器ユニット
３  放熱器
４  暖房配管
５  ロードヒーティング
６  膨張タンク
７  三方切替弁
８  バイパス弁
９  循環ポンプ
１０  バイパス回路
【図１】
2009257671.tif 000003